(57)【要約】【課題】被洗浄物表面のリンス剤およびリンス方法を提供する。【解決手段】被洗浄物表面に残留した非水系洗浄溶剤を、アルコキシフルオロアルケンまたはアルコキシフルオロアルケンを主成分とする混合剤をリンス剤として用いることにより地球温暖化に悪影響を与えることなく清浄な物品表面を提供する。【選択図】なし【特許請求の範囲】
【請求項１】
アルコキシフルオロアルケンを含むリンス剤。
【請求項２】
アルコキシフルオロアルケンが、アルコキシパーフルオロアルケンである請求項１に記載のリンス剤。
【請求項３】
アルコキシ基が、メトキシ基もしくはエトキシ基であるアルコキシフルオロアルケンまたはアルコキシパーフルオロアルケンを含む請求項１または２に記載のリンス剤。
【請求項４】
フルオロアルケンが炭素数５以上８以下のフルオロアルケンある請求項１〜３の何れか１項に記載のリンス剤。
【請求項５】
メトキシパーフルオロペンテン、メトキシパーフルオロへキセン、メトキシパーフルオロヘプテン、もしくはメトキシパーフルオロオクテン、または、エトキシパーフルオロペンテン、エトキシパーフルオロへキセン、エトキシパーフルオロヘプテン、もしくはエトキシパーフルオロオクテンの何れか１つ以上を含むリンス剤。
【請求項６】
メトキシパーフルオロヘプテンを含むリンス剤。
【請求項７】
被洗浄物表面に残留した洗浄剤を除去するリンス方法であって、請求項１〜６のいずれか１項に記載のリンス剤を用いることを特徴とするリンス方法。
【請求項８】
前記洗浄剤が非水系洗浄剤であることを特徴とする請求項７に記載のリンス方法。
【請求項９】
前記非水系洗浄剤が炭化水素系洗浄剤であることを特徴とする請求項８に記載のリンス方法。
【発明の詳細な説明】
【技術分野】
【０００１】
本発明は、金属部品や電子部品などに付着した油やフラックスを非水系洗浄剤により洗浄除去した後に、被洗浄物に残留した非水系洗浄剤を完全に取り除き、被洗浄物表面を清浄に仕上げるためのリンス剤およびリンス方法に関するものである。
【背景技術】
【０００２】
従来、金属部品や電子部品の加工仕上げや錆止めに使用されるグリースや鉱油等の脱脂洗浄、そしてハンダ付けのフラックス除去を目的とする溶剤としては、フロン１１３に代表されるクロロフルオロカーボンや1,1,1-トリクロロエタンに代表される塩素系溶剤が使用されてきた。しかしクロロフルオロカーボンや塩素系溶剤は、オゾン層破壊や地下水汚染、大気汚染といった環境問題を引き起こしているため、脂肪族炭化水素やエステル、エーテル、グリコールエーテル類等の非水系洗浄剤が用いられてきている。  
【０００３】
これらの非水系洗浄剤は、油やフラックス等の溶解力向上のため加温されて使用されることが多くまた可燃性であるため、その取り扱い上の安全性を考慮して１５０℃以上の沸点を持つ物が多く用いられている。また洗浄剤としての溶解力を向上させるため、主成分にさらに別のエーテル，エステル，グリコール類等が添加されることも多い。その為これらの非水系洗浄剤で洗浄した後の被洗浄物の乾燥処理において、洗浄剤を速やかに除去する目的でその沸点に合わせて熱風やオーブンなどを用いて高温で乾燥することが必要となっていた。これらの高温処理での乾燥は、被洗浄物を傷めるだけでなく引火の危険性があり、また乾燥を低温で行えば、長時間かかるのみならずこれら洗浄剤が被洗浄物に付着残留しシミ等を生じ易いという問題があった。これら乾燥の問題を解決するためにハイドロフルオロカーボンやハイドロフルオロエーテル類のフッ素系溶剤をリンス剤として使用する方法が提案され、広く使用されている。（特許文献１、特許文献２）。
【先行技術文献】
【特許文献】
【０００４】
【特許文献１】特開平６−２３４９９８号公報
【特許文献２】特許第４７６１２９３号公報
【発明の概要】
【発明が解決しようとする課題】
【０００５】
しかしながら、これら先行技術において使用されているハイドロフルオロカーボンやハイドロフルオロエーテル類は、まだ地球温暖化係数が高く、地球環境保護への取り組みという視点からは必ずしも満足できるものではなかった（表１参照）。
【課題を解決するための手段】
【０００６】
そこで、本発明者は、上記問題を解決するため、鋭意研究を行った結果、アルコキシフルオロアルケンを選択しリンス剤として用いることにより、すすぎ性能が向上し、なおかつ地球温暖化係数もきわめて小さいので地球環境への影響がきわめて小さく、地球環境保護という視点でも充分満足できることを見出し、本発明に至ったものである。
【０００７】
即ち、本発明は、アルコキシフルオロアルケンを含むリンス剤であり、好ましくはアルコキシパーフルオロアルケンを含むリンス剤である。また、本発明は、アルコキシ基が、メトキシ基もしくはエトキシ基であるフルオロアルケンまたはパーフルオロアルケンである前記リンス剤、すなわち、メトキシフルオロアルケン、エトキシフルオロアルケン、メトキシパーフルオロアルケン、エトキシパーフルオロアルケンの何れかを含むリンス剤である。さらに、本発明は、フルオロアルケンが、炭素数５以上８以下のフルオロアルケンある前記リンス剤、すなわち、炭素数が５以上８以下のアルコキシフルオロアルケンもしくはアルコキシパーフルオロアルケンまたは、炭素数が５以上８以下のメトキシフルオロアルケンもしくはエトキシフルオロアルケンまたは、炭素数が５以上８以下のメトキシパーフルオロアルケンもしくはエトキシパーフルオロアルケンを含むリンス剤である。
【０００８】
より具体的には、本発明は、メトキシパーフルオロペンテン、メトキシパーフルオロへキセン、メトキシパーフルオロヘプテン、もしくはメトキシパーフルオロオクテン、または、エトキシパーフルオロペンテン、エトキシパーフルオロへキセン、エトキシパーフルオロヘプテン、もしくはエトキシパーフルオロオクテンの何れか１つ以上を含むリンス剤であることが好ましい。これらの中では、メトキシパーフルオロヘプテンを含むリンス剤が、さらに好ましい。
【０００９】
さらに、本発明は、上記のリンス剤を用いて被洗浄物表面に残留した洗浄剤を除去するリンス方法であり、前記洗浄剤が非水系洗浄剤であることを特徴とするリンス方法である。非水系洗浄剤としては炭化水素系洗浄剤を使用することが好ましい。
【発明の効果】
【００１０】
本発明のリンス剤およびそれを用いるリンス方法により、地球温暖化に悪影響を与えずに、油やフラックス等で汚れた金属部品や電子部品を洗浄するために使用した非水系洗浄剤を速やかに被洗浄物表面から除去し、かつ被洗浄物を熱風等により傷めることなくしみ等を被洗浄物表面に残さない清浄な物品を得ることが可能となる。
【発明を実施するための形態】
【００１１】
本発明のリンス剤およびリンス方法は、「アルコキシフルオロアルケン」を用いて非水系洗浄剤を被洗浄物表面から除去することを特徴とするものである。
【００１２】
（１）本発明のリンス剤
本発明のリンス剤において、「アルコキシフルオロアルケン」とは、アルコキシ基、および二重結合を有するフッ素化オレフィンである。また、「アルコキシパーフルオロアルケン」は、アルコキシル基を有するパーフルオロアルケンである。より具体的には、アルコキシル基は、炭素数１以上５以下が好ましく、炭素数１または２であるメトキシまたはエトキシ基が更に好ましい。また、パーフルオロアルケンは、二重結合を１つ有する炭化水素において、水素原子が全てフッ素で置換された化合物を意味し、炭素数が２以上１０以下のものが好ましく、炭素数が５以上８以下のものが更に好ましい。これらのアルコキシパーフルオロアルケンでは、メトキシパーフルオロペンテン、メトキシパーフルオロへキセン、メトキシパーフルオロヘプテン、もしくはメトキシパーフルオロオクテン、または、エトキシパーフルオロペンテン、エトキシパーフルオロへキセン、エトキシパーフルオロヘプテン、もしくはエトキシパーフルオロオクテンが好ましい。なお、例えば、メトキシパーフルオロヘプテンの構造としては、以下のものが挙げられるが、何れの構造のものでも良く、これらの混合物であっても良い。
ＣＦ3（ＣＦ2）2ＣＦ＝ＣＦＣＦ（ＯＣＨ3）ＣＦ3
ＣＦ3（ＣＦ2）ＣＦ＝ＣＦ（ＣＦ2）2（ＯＣＨ3）ＣＦ3
ＣＦ3（ＣＦ2）ＣＦ＝ＣＦＣＦ（ＯＣＨ3）ＣＦ2ＣＦ3
ＣＦ3ＣＦ＝ＣＦＣＦ（ＯＣＨ3）（ＣＦ2）2ＣＦ3
ＣＦ3ＣＦ＝ＣＦＣＦ2ＣＦ（ＯＣＨ3）ＣＦ2ＣＦ3
ＣＦ3（ＣＦ2）ＣＦ＝Ｃ（ＯＣＨ3）（ＣＦ2）2ＣＦ3
【００１３】
また、リンス剤としてこれら単独で用いても良く、またこれらの混合物でも良い。また、非水系洗浄剤に対するリンス効果は、リンス工程を、被洗浄物を傷めない範囲で高い温度で行うことで向上するので、本発明のアルコキシフルオロアルケンのなかからその沸点により選択することが好ましい。
【００１４】
（２）任意成分
本発明のリンス剤には、任意成分として以下の溶剤および安定剤を加えることができる。
（溶剤）本発明のリンス剤には、主成分としてのアルコキシフルオロアルケン以外に、目的に応じて、その他の溶剤を任意成分として加えることができる。溶剤としては、例えば、炭化水素類、アルコール類、ケトン類、エーテル類、エステル類等から選ばれる少なくとも1種以上の溶剤を単独で、または任意に混合して使用できる。これらの混合物は、共沸組成物を形成するものであると、本発明のリンス剤と一緒に除去されるので、さらに好ましい。しかしながら、溶剤が可燃性の場合、多量に混合すると、混合物全体が可燃性となるので好ましくはない。
【００１５】
（安定剤）さらに、本発明のリンス剤には、安定剤として、ニトロメタンなどのニトロアルカン類、プロピレンオキシドなどのエポキシド類、フラン類、ベンゾトリアゾール類、フェノール類、アミン類等から選ばれる少なくとも１種を加えることができる。
【００１６】
（３）本発明のリンス剤を使用したリンス方法
本発明は、上記のリンス剤を用いて被洗浄物表面に残留した洗浄剤を除去するリンス方法であり、前記洗浄剤が非水系洗浄剤であることを特徴とするリンス方法である。なお、本発明において、リンスとは被洗浄物に付着した非水系洗浄剤の除去を意味する。本発明のリンス方法は、下記の公知の非水系洗浄剤を用いた洗浄をした後に、上記本発明のリンス剤を使用することを特徴とするリンス方法である。
【００１７】
（洗浄剤）本発明において、「非水系洗浄剤」とは、被洗浄物表面に付着した油やフラックス微粒子等を除去する非水系の洗浄剤をいう。非水系洗浄剤としては、例えば、脂肪族炭化水素、エステル類、テルペン類、グリコールエーテル類、高級アルコール類等の公知の洗浄剤を使用することができる。これらの洗浄剤は、単独でまたは混合して使用することができる。
【００１８】
（洗浄方法）本発明のリンス方法において、被洗浄物を洗浄剤組成物と接触させる方法は特に制限されるものでなく、公知のいずれの方法も使用できる。例えば、洗浄剤組成物を含浸したスポンジなどによる拭き取り、洗浄剤組成物への浸漬、スプレーなどにより接触させることが好ましい。浸漬による洗浄においては、洗浄効果を高めるために、同時に攪拌、揺動、超音波、エアバブリングなどを組み合せることが更に好ましい。
【００１９】
（リンス方法）本発明のリンス方法において、被洗浄物に付着した洗浄剤の除去は、本発明のリンス剤を用いたすすぎにより行う。その方法は特に制限されるものでなく、公知のいずれの方法も使用できる。例えば、リンス剤を満たしたすすぎ槽で洗浄剤の付着した被洗浄物をすすぐことにより清浄な物品が得られる。被洗浄物を本発明によるリンス剤の沸騰液中または、冷浴もしくは温浴中、または蒸気層中に浸漬、静置することにより実施できる。また沸騰液中または、冷浴もしくは温浴中に超音波を併用することにより、より効果を上げることもできる。
【００２０】
洗浄対象物としては、電子・電気部品、光学部品、精密機械部品、自動車部品などの部品を例示することができる。対象となる電気・電子部品としては、プリント配線基板、セラミック配線基板などの配線基板、リードフレームなどの半導体パッケージ部材、リレー、コネクターなどの接点部材、液晶、プラズマディスプレイなどの表示部品、ハードディスク記憶媒体、磁気ヘッドなどの磁気記憶部品、水晶振動子などの圧電部品、モータ、ソレノイドなどの電動機部品、センサー部品が挙げられる。光学部品としては、眼鏡、カメラ用などのレンズ、その筐体が挙げられる。精密機械部品としては、ＶＴＲなどに用いられる精密ベアリングなどの部品が挙げられる。
【００２１】
洗浄対象物に付着している汚れとしては、ワックス、油脂、鉱油などからなる機械油、植物油、グリース、フラックス、フォトレジスト、接着剤が挙げられる。
【００２２】
本発明のリンス方法は、本発明のリンス剤に引火性がないため高温処理での乾燥が可能となり、油やフラックス等で汚れた金属部品や電子部品等を洗浄するために使用された洗浄用溶剤を被洗浄物表面から除去し被洗浄物にしみ等がない清浄な物品とするために好適である。
【実施例】
【００２３】
以下、実施例を挙げて本発明を更に詳しく説明するが、本発明はこれらの実施例に限定されるものではない。
【００２４】
表１は、従来から使用されているフッ素系溶剤及び本発明のリンス剤の地球温暖化係数と沸点を示す。なお、地球温暖化係数(GWP: Global Warming Potential) とは、二酸化炭素を基準にして、ほかの温室効果ガスがどれだけ温暖化する能力があるか表した数字をいい、単位質量の温室効果ガスが大気中に放出されたときに、一定時間内に地球に与える放射エネルギーの積算値(すなわち温暖化への影響)を、CO2に対する比率として見積もったものである。
【００２５】
【表１】
2013170256.tif 000002
【００２６】
（実施例１）
清浄な6 x 60 x 1mmの鉄片を非水系洗浄剤として炭化水素系洗浄剤（JX日鉱日石エネルギー社製NSクリーン２２０（登録商標）：ノルマルパラフィン(C12)を主成分とする洗浄剤）に浸漬した後、重量を測定し、次いでリンス剤としてメトキシパーフルオロヘプテンを用いてメトキシパーフルオロヘプテンの沸騰液に３０秒間浸漬した。さらにメトキシパーフルオロヘプテンの蒸気層に３０秒間静置した後に鉄片の重量を測定した。メトキシパーフルオロヘプテン浸漬前後の重量差より、鉄片に付着したNSクリーン２２０の除去率を求めた。結果を表２に示す。なお、メトキシパーフルオロヘプテンは、三井・デュポンフロロケミカル社が米国特許公開２０１１／０２８２１０４号公報に記載の方法で製造したものを使用した。
【００２７】
（比較例１）
リンス剤として、1,1,1,2,2,3,4,5,5,5-デカフルオロペンタン（三井・デュポンフロロケミカル社製バートレル（登録商標）XF）を用いて実施例１と同様の操作を行なった。結果を表２に示す。
【００２８】
（比較例２）
リンス剤として2,2,2-トリフルオロエチル-1,1,2,2-テトラフルオロエチルエーテル（旭硝子社製アサヒクリーンAE-3000：沸点５６℃）を用いて実施例１と同様の操作を行なった。結果を表２に示す。
（比較例３）
リンス剤としてノナフルオロブチルメチルエーテル（３Ｍ社、ノベック（登録商標）ＨＦＥ−７１００）を用いて実施例１と同様の操作を行なった。結果を表２に示す。
【００２９】
【表２】
2013170256.tif 000003
【００３０】
リンス剤としてメトキシパーフルオロヘプテンを使用した場合、洗浄溶剤除去率が９９％以上という極めて顕著な効果が認められた。比較例で使用したノナフルオロブチルメチルエーテルも９８％と高い洗浄効果を示すが、地球温暖化係数は２９７と高く、また、沸点が６１℃と低い。これに対して、本発明でリンス剤として使用するメトキシパーフルオロヘプテンは、地球温暖化係数は１０以下で環境にやさしく、沸点も１１０℃であることから蒸発ロスが少ない。
【産業上の利用可能性】
【００３１】
本発明のリンス剤を用いてリンスを行なう方法により、地球温暖化に悪影響を与えずに、油やフラックス等で汚れた金属部品や電子部品を洗浄するために使用した非水系洗浄剤を速やかに被洗浄物表面から除去し、かつ被洗浄物を熱風等により傷めることなくしみ等を被洗浄物表面に残さない清浄な物品とすることが可能となる。